(57)【要約】【課題】安価な入退室管理システムを提供すること。【解決手段】入退室管理システムは、入退室口に２重に設けられ、それぞれ屋外側と屋内側から近づく利用者の検知により開閉される屋外側の第１の扉および屋内側の第２の扉と、利用者の個人識別データが記憶される携帯情報記憶媒体を発行する登録装置と、登録装置からの個人識別データに入退室履歴データが関連付けられて記憶される記憶部、入退室口に入った利用者の携帯情報記憶媒体からの個人識別データと同一なものが記憶部に記憶されているとき入退室を許可する入退室許可部、記憶部の入退室履歴データに基づいて利用者の入室または退室のいずれかを判断し、入室と判断したとき第２の扉または退室と判断したとき第１の扉を開くような指令を発するとともに記憶部の入退室履歴データを書き換える入退室判定・扉制御部を有する入退室者判定装置を有する。【選択図】図１
2005258777.tif 000002
【特許請求の範囲】
【請求項１】
入退室口に２重に設けられた、屋外側から近づく利用者の検知により開閉される屋外側の第１の扉および屋内側から近づく利用者の検知により開閉される屋内側の第２の扉と、
利用者に係わる個人識別データが記憶される携帯情報記憶媒体を発行する登録装置と、
上記登録装置から送られる利用者に係わる個人識別データと該個人識別データに関連する入退室履歴データとが記憶される記憶部、上記第１の扉または上記第２の扉から入退室口に入った利用者が所持する上記携帯情報記憶媒体から個人識別データを読み取る情報読取部、読み取られた個人識別データと同一な個人識別データが上記記憶部に記憶されているとき該利用者の入退室を許可する入退室許可部、上記記憶部から読み込まれた入退室履歴データに基づいて利用者の入室または退室のいずれかを判断し、入室と判断したとき上記第２の扉または退室と判断したとき上記第１の扉を開く指令を発するとともに上記記憶部の上記入退室履歴データを書き換える入退室判定・扉制御部を有し、上記２つの扉の間の入退室口に設置される入退室者判定装置と、
上記入退室判定・扉制御部からの指令に基づいて上記第１の扉または上記第２の扉の開閉駆動する扉駆動装置と、
を有することを特徴とする入退室管理システム。
【請求項２】
入退室口に２重に設けられた、屋外側から近づく利用者の検知により開閉される屋外側の第１の扉および屋内側から近づく利用者の検知により開閉される屋内側の第２の扉と、
利用者に係わるバイオメトリックス情報を登録に際して収集する登録装置と、
上記登録装置から送られる利用者に係わるバイオメトリックス情報と該バイオメトリックス情報に関連する入退室履歴データとが記憶される記憶部、上記第１の扉または上記第２の扉から入退室口に入った利用者からバイオメトリックス情報を収集するバイオメトリックス情報収集装置、収集された該バイオメトリックス情報と同一なバイオメトリックス情報が上記記憶部に記憶されているとき該利用者の入退室を許可する入退室許可部、上記記憶部から読み込まれた入退室履歴データに基づいて利用者の入室または退室のいずれかを判断し、入室と判断したとき上記第２の扉または退室と判断したとき上記第１の扉を開く指令を発するとともに上記記憶部の上記入退室履歴データを書き換える入退室判定・扉制御部を有し、上記２つの扉の間の入退室口に設置される入退室者判定装置と、
上記入退室判定・扉制御部からの指令に基づいて上記第１の扉または上記第２の扉の開閉制御する扉駆動装置と、
を有することを特徴とする入退室管理システム。
【請求項３】
上記記憶部が、上記個人識別データと関連させて職員または訪問者のいずれかを区別するデータを記憶し、
上記入退室者判定装置は、上記入退室判定・扉制御部が退室と判断した利用者について上記区別するデータに基づいて職員または訪問者のいずれかを判断し、訪問者と判断したとき上記記憶部に記憶されている該訪問者の個人識別データを消去するデータ消去部を有することを特徴とする請求項１または２に記載の入退室管理システム。
【請求項４】
上記入退室判定・扉制御部は、上記第１の扉または上記第２の扉のいずれか一方を開閉するとき、他方をロックすることを特徴とする請求項１乃至３のいずれか１項に記載の入退室管理システム。
【発明の詳細な説明】
【技術分野】
【０００１】
この発明は、老人ホームなどの施設における入退室者の入退室管理を行う入退室管理システムに関するものである。
【背景技術】
【０００２】
従来の退室管理システムは、訪問者を確認した後に、訪問者に渡され、訪問者が携帯する携帯情報記憶媒体と、携帯情報記憶媒体と非接触で信号を送受する情報送受手段と、情報送受手段を内部に設置可能な容器と、扉開閉用センサとを有する。携帯情報記憶媒体は、内部に電磁波を検知する検知部と、電磁波を検知した場合に信号を送信する信号送信部とを有し、情報送受手段は、電磁波を発生する電磁波発生部と、扉開閉用センサを能動状態と非能動状態に切り替えるセンサ切替信号出力部とを有し、容器は、情報記録媒体挿入口と、情報記録媒体回収部とを有する。情報送受手段は、容器内に配置され、携帯情報記憶媒体が容器中に挿入されることにより、携帯情報記憶媒体からの信号を受信し、センサ切替信号出力部により扉開閉用センサを能動状態に切り替え、扉開閉用センサが訪問者を検知することにより、扉を開放する（例えば、特許文献１参照。）。
【０００３】
【特許文献１】特許第３０５９４３１号公報
【発明の開示】
【発明が解決しようとする課題】
【０００４】
しかし、この退室管理システムは退室だけを管理するものであり、入退室の両方を管理しようとすると入館用の情報送受手段と退館用の情報送受手段とを用意しなければならないので、入退室管理システムが高価になってしまうという問題があった。また、退館するとき訪問者が返却する携帯情報記憶媒体から人手によりＩＤ番号などを消去しなければならないので、携帯情報記憶媒体の管理のための手間が掛かるという問題があった。
【０００５】
この発明の目的は、入退室両方が管理できる安価な入退室管理システムを提供することである。
【課題を解決するための手段】
【０００６】
この発明に係わる入退室管理システムは、入退室口に２重に設けられ、屋外側から近づく利用者の検知により開閉される屋外側の第１の扉および屋内側から近づく利用者の検知により開閉される屋内側の第２の扉と、利用者に係わる個人識別データが記憶される携帯情報記憶媒体を発行する登録装置と、上記登録装置から送られる利用者に係わる個人識別データと該個人識別データに関連する入退室履歴データとが記憶される記憶部、上記第１の扉または上記第２の扉から入退室口に入った利用者が所持する上記携帯情報記憶媒体から個人識別データを読み取る情報読取部、読み取られた個人識別データと同一な個人識別データが上記記憶部に記憶されているとき該利用者の入退室を許可する入退室許可部、上記記憶部から読み込まれた入退室履歴データに基づいて利用者の入室または退室のいずれかを判断し、入室と判断したとき上記第２の扉または退室と判断したとき上記第１の扉を開く指令を発するとともに上記記憶部の上記入退室履歴データを書き換える入退室判定・扉制御部を有し、上記２つの扉の間の入退室口に設置される入退室者判定装置と、上記入退室判定・扉制御部からの指令に基づいて上記第１の扉または上記第２の扉の開閉駆動する扉駆動装置と、を有する。
【発明の効果】
【０００７】
この発明の入退室管理システムに係わる効果は、入退室口に設置された入退室者判定装置を入室者と退室者の双方が利用できるので、安価なシステムを構成できる。
【発明を実施するための最良の形態】
【０００８】
実施の形態１．
図１は、この発明の実施の形態１に係わる入退室管理システムのブロック図である。図２は、実施の形態１の入退室管理システムが設置された入退室口の様子を示す図である。図３は、実施の形態１に係わる入退室者判定装置のブロック図である。図４は、実施の形態１の携帯情報記憶媒体のブロック図である。
【０００９】
図１と図２とに示すように、実施の形態１の入出室管理システムは、受付室１に設置され、携帯情報記憶媒体２を発行する登録装置３、入退室口４を２重に開閉する扉５ａ、５ｂ、扉５ａ、５ｂを開閉制御する扉駆動装置６ａ、６ｂ、扉５ａ、５ｂの近くに設けられた人感センサ７ａ、７ｂ、入退室口４の近くに設置された入退室者判定装置８を有している。
【００１０】
登録装置３は、携帯情報記憶媒体２にデータを書き込む媒体情報書込装置９が接続されたコンピュータ１０からなる。コンピュータ１０は、受付者が利用者から入手した名前と日付などからなる個人識別データを媒体情報書込装置９に伝送し、媒体情報書込装置９は、その個人識別データを携帯情報記憶媒体２に書き込む。
また、コンピュータ１０は、入退室者判定装置８に接続され、コンピュータ１０から利用者の個人識別データが入退室者判定装置８に伝送され、入退室者判定装置８は、その記憶部１１に利用者の個人識別データとそれに関連付けられた入退室履歴データを記憶する。このとき、入退室履歴データとして「退」を記憶する。
また、人感センサ７ａ、７ｂは、近づく利用者を検知してオン信号を発し、そのオン信号が信号線を介して扉駆動装置６ａ、６ｂに入力され、扉駆動装置６ａ、６ｂが該当する扉５ａ、５ｂを所定の時間の間開き、その後閉める。
また、扉駆動装置６ａ、６ｂは、人感センサ７ａ、７ｂから伝送されてきたオン信号に基づいて扉５ａ、５ｂの開閉を制御するとともに、入退室者判定装置８から伝送されてきた信号に基づいて扉５ａ、５ｂの開閉を制御する。
受付室１には、退室する利用者が入退室者判定装置８に読み取らせた後に返却する携帯情報記憶媒体２を回収する返却箱１２が備えられている。
【００１１】
なお、人感センサ７ａ、７ｂの種類は特に限定されるものではなく、例えば、反射型の光スイッチとし、ドア面と平行に一方側に送光器と受光器を、他方側に反射器を取り付けることにより、その間に人が入って光を遮断すると光スイッチがオンし、ドアを開き、又は解錠する。その他にも、赤外線センサ、床に敷設したマットスイッチなどを用いてもよい。
【００１２】
次に、入退室者判定装置８について図３を参照して説明する。図３は、入退室者判定装置８のブロック図である。入退室者判定装置８は、携帯情報記憶媒体２からデータを読み取る情報読取部２０、登録装置３から伝送されてきた利用者の個人識別データ、入退室履歴データおよび職員または訪問者のいずれかを区別するデータが関連付けられて記憶されている記憶部１１、情報読取部２０から送られてくる読み取られた個人識別データと一致する記憶部１１に記憶されている個人識別データの有無を判断する入退室許可部２１、入退室許可部２１において一致する個人識別データがあると判断されたときその一致した個人識別データと関連付けられて記憶部１１に記憶されている入退室履歴データを確認して入退室のいずれかを判断し、扉５ａ、５ｂの開閉を制御する指令を発する入退室判定・扉制御部２２、入退室判定・扉制御部２２から送られてくる扉５ａ、５ｂの開閉を制御する指令に基づき、扉５ａ、５ｂを開く信号を扉駆動装置６ａ、６ｂに送信する制御インタフェース２３、登録装置３との間で個人識別データの送受を行うデータインタフェース２４、個人識別データの一致および入退室の判断の結果を表示する表示部２５、退室者が職員または訪問者のいずれかを判断し、訪問者と判断したときその訪問者の個人識別データを記憶部１１から消去するデータ消去部２６を有する。
【００１３】
情報読取部２０は、携帯情報記憶媒体２に電力を送信する高周波発生部２７、携帯情報記憶媒体２のメモリ３２から個人識別にデータを読み出して送信することを指令する信号を送信し、携帯情報記憶媒体２から送信されてきた個人識別データを受信する送受信部２８を有している。
入退室許可部２１は、登録装置３から送信され、記憶部１１に記憶されている個人識別データを読み出して、その中に情報読取部２０から読み取られた個人識別データと同じデータがあるか否かを判断する。あるときその携帯情報記憶媒体２を所持している利用者が入室を許可されているので、入室または退室できるように扉５ａ、５ｂを開く。ないときその利用者は入室が許可されていないので、入退室できない旨表示する。
【００１４】
入退室判定・扉制御部２２は、利用者が入室または退室のいずれに行こうとしているのかを判断する。すなわち、利用者は受付で携帯情報記憶媒体２を発行してもらうので、最初に入退室者判定装置８を操作するのは入室時である。また、記憶部１１には、個人識別データと関連付けられた入退室履歴データの「退」が記憶されている。そして、携帯情報記憶媒体２が発行されて、それに関係する個人識別データが記憶部１１に記憶されるとき、同時にこの個人識別データと関連付けて入退室履歴データが記憶される。この入退室履歴データは、「入」「退」の２値からなり、読み取りの度に交代される。最初に記憶部１１に個人識別データが記憶されるとき、入退室履歴データとして「退」が個人識別データと関連づけられて記憶される。その後、利用者が入退室者判定装置８を操作して携帯情報記憶媒体２から個人識別データを読み取らせると、入退室判定・扉制御部２２は入退室履歴データを「入」に変更して、記憶部１１に個人識別データと関連付けて記憶する。そして利用者は施設内に入室しているものと見なされる。次に、利用者が入退室者判定装置８を操作して携帯情報記憶媒体２から個人識別データを読み取らせると、入退室判定・扉制御部２２は入退室履歴データを記憶部１１から読み出し、そこには「入」が記憶されているので、利用者は退室しようとしていると判断する。同時に、入退室判定・扉制御部２２は、入退室履歴データを「退」に変更して、記憶部１１に個人識別データと関連付けて記憶する。
【００１５】
データ消去部２６は、入退室判定・扉制御部２２において利用者が退室しようとしていると判断したとき、利用者が職員または訪問者のいずれかを職員と訪問者とを区別するデータから判断し、訪問者と判断したとき、記憶部１１に記憶されているその訪問者の該個人識別データを消去する。このようにすると、訪問者が間違って携帯情報記憶媒体２を返却せずに持ち帰り、次の訪問の機会に使用しても、その携帯情報記憶媒体２に記録されている個人識別データが記憶部１１に記憶されていないので、入室することができない。
【００１６】
次に、携帯情報記憶媒体２について図４を参照して説明する。図４は、携帯情報記憶媒体２のブロック図である。実施の形態１の携帯情報記憶媒体２について、非接触型ＩＣカード３０を例に挙げて説明する。尚、携帯情報記憶媒体２として、接触型ＩＣカード、磁気カード、携帯電話など携帯可能でデータが記憶され、入退室者判定装置８との間でデータの授受を行うことができるものであればよい。
非接触型ＩＣカード３０は、電磁誘導により電力を受けるとともに電波を受信するコイル３１、データが記憶されているメモリ３２、コイル３１により受電した電力が供給され、受信した電波に基づいてメモリ３２にデータを記憶するとともに記憶されているデータを読み出すデータ処理部３３、情報読取部２０から送信された電波を受信するとともにメモリ３２から読み出されたデータを電波として送信する送受信部３４を有している。なお、このような構成のカードは公知である。
【００１７】
次に、図２を参照して施設の入退室口４付近の様子を説明する。訪問者および職員などの利用者が屋外から施設内に入室するためには、まず入退室口４に入るようになっている。入退室口４に面して受付室１が設けられている。入退室口４の屋外側に第１の扉５ａが設けられ、第１の扉５ａの屋外側に第１の人感センサ７ａが設けられている。第１の人感センサ７ａが入室者を検知すると第１の扉５ａが所定の時間開き、その間に入室者が入退室口４内に入室できるようになっている。
さらに、入退室口４の屋内側に第２の扉５ｂが設けられ、入退室口４に設置された入退室者判定装置８により入室が許可されたとき、第２の扉５ｂが所定の時間開き、その間に入室者が施設内に入室できるようになっている。
【００１８】
一方、訪問者および職員などの退室者が屋内から施設外に退室するときも、まず入退室口４に入るようになっている。第２の扉５ｂの屋内側に第２の人感センサ７ｂが設けられている。第２の人感センサ７ｂが退室者を検知すると第２の扉５ｂが所定の時間開き、その間に退室者が入退室口４内に入ることができる。
このように入退室口４内に入った退室者は、入退室者判定装置８により退室が許可されたとき、第１の扉５ａが所定の時間開くので、その間に退室者が施設外に退室できるようになっている。
【００１９】
入退室口４内に入った利用者のうち、携帯情報記憶媒体２を既に所持している職員は入退室者判定装置８に携帯情報記憶媒体２を近づけることにより、第２の扉５ｂが開き、施設内に入室することができる。一方、訪問者は携帯情報記憶媒体２を所持していないので、受付により名前等を確認され、携帯情報記憶媒体２が発行され、訪問者に提供される。同時に、その個人識別データが入退室者判定装置８に送信されている。訪問者は、その携帯情報記憶媒体２を入退室者判定装置８に近づけることにより、第２の扉５ｂが開くので、施設内に入室することができる。
【００２０】
一方、入退室口４内に入った人のうち、携帯情報記憶媒体２を保有している職員および訪問者は、その携帯情報記憶媒体２を入退室者判定装置８に近づけることにより、第１の扉５ａが開くので、施設外に退室することができる。しかし、携帯情報記憶媒体２が支給されていない入所者は入退室者判定装置８を操作できないので、施設の外に出ることができない。
【００２１】
次に、図５を参照して入室しようとしている利用者を受け入れる手順について説明する。図５は、入室しようとする利用者に対応する処理手順のフローチャートである。
ステップ１０１で、第１の人感センサ７ａにより第１の扉５ａに近づく利用者がいるか否かを判断する。いないときステップ１０１を繰り返す。いるときステップ１０２へ進む。
ステップ１０２で、扉駆動装置６ａは、第２の扉５ｂをロックすると同時に第１の扉５ａを所定の時間の間開くので利用者が入退室口４内に入室できる。
ステップ１０３で、利用者が携帯情報記憶媒体２を所持しているか否かにより次の手順が異なる。所持している利用者はステップ１０４に進み、所持していない利用者はステップ１１０へ進む。
ステップ１０４で、情報読取部２０は、入退室者判定装置８に近づけられた携帯情報記憶媒体２から利用者の個人識別データを読み取る。
ステップ１０５で、入退室許可部２１は、読み取った個人識別データと一致する個人識別データが記憶部１１に記憶されているか否かを判断する。一致する個人識別データが記憶部１１にあるときステップ１０６へ進む。ないときステップ１０９へ進む。
ステップ１０６で、入退室判定・扉制御部２２は、一致した個人識別データと関連付けられて記憶されている入退室履歴データを記憶部１１から読み出し、その入退室履歴データが「入」「退」のいずれかであるのかを確認する。「入」のとき利用者は退室しようとしていると判断し、ステップ２０６（図６）へ進む。「退」のとき利用者は入室しようと判断しステップ１０７へ進む。
ステップ１０７で、表示部２５は、「ＯＫ／入」と表示してステップ１０８へ進む。
ステップ１０８で、第１の扉５ａがロックされると同時に第２の扉５ｂが所定の時間の間開くので利用者は施設内に入ることができる。
ステップ１０９で、表示部２５は、「ＮＧ」と表示し、手順を終了する。
一方、ステップ１１０で、受付室１の登録装置３により訪問者のための携帯情報記憶媒体２が発行され、訪問者に渡されて、ステップ１０４に進む。
このようにして訪問者は携帯情報記憶媒体２が発行されて施設内に入ることができるとともに職員はすでに携帯情報記憶媒体２が発行されているので同様に入ることができる。
【００２２】
次に、図６に基づいて退室しようとする利用者に対応する手順について説明する。図６は、退室しようとする利用者に対応する処理手順のフローチャートである。
ステップ２０１で、第２の人感センサ７ｂにより第２の扉５ｂに近づく退室しようとする利用者がいるか否かを判断する。いないときステップ２０１を繰り返す。いるときステップ２０２へ進む。
ステップ２０２で、扉駆動装置６ｂは、第１の扉５ａをロックすると同時に第２の扉５ｂを所定の時間の間開くので利用者が入退室口４内に入室できる。
ステップ２０３で、情報読取部２０は、入退室者判定装置８に近づけられた携帯情報記憶媒体２から利用者の個人識別データを読み取る。
ステップ２０４で、入退室許可部２１は、読み取った個人識別データと一致する個人識別データが記憶部１１に記憶されているか否かを判定する。一致する個人識別データが記憶部１１にあるときステップ２０５へ進む。ないときステップ２１０へ進む。
ステップ２０５で、入退室判定・扉制御部２２は、一致した個人識別データと関連付けられて記憶されている入退室履歴データを記憶部１１から読み出し、その入退室履歴データが「入」「退」のいずれかであるのかを確認する。「退」のとき利用者は入室しようとしていると判断し、ステップ１０７（図５）へ進む。「入」のとき利用者は退室しようと判断しステップ２０６へ進む。
ステップ２０６で、データ消去部２６は、一致した個人識別データと関連付けられて記憶されている職員と訪問者とを区別するデータを記憶部１１から読み出し、退室する利用者が職員または訪問者のいずれかを判断する。職員と判断されたときステップ２０８へ進む。訪問者と判断されたときステップ２０７へ進む。
ステップ２０７で、データ消去部２６は、記憶部１１に記憶されている該当する個人識別データを消去してステップ２０８へ進む。
ステップ２０８で、表示部２５は、「ＯＫ／退」と表示してステップ２０９へ進む。
ステップ２０９で、第２の扉５ｂがロックされると同時に第１の扉５ａが所定の時間の間開くので利用者は施設外に出ることができる。
ステップ２１０で、表示部２５は、「ＮＧ」と表示し、手順を終了する。
このように携帯情報記憶媒体２が常時支給されている職員および入室時に支給されている訪問者は、入退室者判定装置８にそれを近づけるだけで施設外にでることができる。
さらに、携帯情報記憶媒体２が支給されていない入所者が間違って施設外にでることを防ぐ。
【００２３】
このように入出室管理システムは、入退室口４に設置された入退室者判定装置８を入室と退室の両方において利用できるので、安価なシステムである。
また、訪問者が退室するとき記憶部１１に記憶されている当該の訪問者の個人識別データが消去されるので、再度携帯情報記憶媒体２の使用を防ぐことができるとともに携帯情報記憶媒体２の消去が必要なくなる。
また、入退室処理を行われているとき、一方の扉がロックされているので、入所者が訪問者と連れだって外出することが防げる。
また、訪問者は受付にて退出手続をする必要はなく、入退室者判定装置８に携帯情報記憶媒体２を近づけるだけで退室できる。
【００２４】
なお、実施の形態１の扉として自動ドアを例に挙げて説明したが、ロック機能だけを有する手動ドアでも同様な効果が得られる。
【００２５】
実施の形態２．
図７は、この発明の実施の形態２に係わる入退室管理システムのブロック図である。実施の形態２に係わる入退室管理システムにおいては、指紋、虹彩などのバイオメトリックス情報を入退室者判定装置により処理することにより扉の開閉を制御している点が実施の形態１と異なっている。その他は同様であるので、同様な部分の説明は省略する。
登録装置４１は、バイオメトリックス情報収集装置４２が接続されたコンピュータからなる。また、入退室者判定装置４３の情報読取部４４はバイオメトリックス情報を収集するバイオメトリックス情報収集装置４２が備えられている。
【００２６】
このような入退室管理システムは、バイオメトリックス情報により入退室者を識別するので、携帯情報記憶媒体を発行する必要のない安価な入退室管理システムを提供することができる。
【図面の簡単な説明】
【００２７】
【図１】この発明の実施の形態１に係わる入退室管理システムのブロック図である。
【図２】実施の形態１の入退室管理システムが設置されている入退室口の様子を示す図である。
【図３】実施の形態１の入退室者判定装置のブロック図である。
【図４】実施の形態１の携帯情報記憶媒体のブロック図である。
【図５】入室しようとする利用者に対応する処理手順のフローチャートである。
【図６】退室しようとする利用者に対応する処理手順のフローチャートである。
【図７】この発明の実施の形態２に係わる入退室管理システムのブロック図である。
【符号の説明】
【００２８】
１  受付室、２  携帯情報記憶媒体、３、４１  登録装置、４  入退室口、５ａ、５ｂ  扉、６ａ、６ｂ  扉駆動装置、７ａ、７ｂ  人感センサ、８、４３  入退室者判定装置、９  媒体情報書込装置、１０  コンピュータ、１１  記憶部、１２  返却箱、２０、４４  情報読取部、２１  入退室許可部、２２  入退室判定・扉制御部、２３  制御インタフェース、２４  伝送インタフェース、２５  表示部、２６  データ消去部、２７  高周波発生部、２８、３４  送受信部、３０  非接触型カード、３１  コイル、３２  メモリ、３３  データ処理部、４２  バイオメトリックス情報収集装置。
【図１】
2005258777.tif 000003
【図２】
2005258777.tif 000004
【図３】
2005258777.tif 000005
【図４】
2005258777.tif 000006
【図５】
2005258777.tif 000007
【図６】
2005258777.tif 000008
【図７】
2005258777.tif 000009